(57)【要約】【課題】デザインを容易に、かつ多様に変更することができる仏壇を提供する。【解決手段】本発明の仏壇は、前面に開閉扉を有する箱状体を成す仏壇であって、箱状体の背面を構成し、外側に向かって開放された第１の背板と、第１の背板よりも前面側に取り付けられて、内側に向かって開放された第２の背板と、箱状体に設けられ、天板及び底板に対して第１の背板及び第２の背板を着脱自在に配設するための複数の着脱部材と、を有し、第１の背板及び第２の背板は、複数の着脱部材を用いて箱状体の背面側に着脱自在に取り付けられる。【選択図】図３
2018094014.tif 000002
【特許請求の範囲】
【請求項１】
前面に開閉扉を有する箱状体を成す仏壇であって、
前記箱状体の背面を構成し、外側に向かって開放された第１の背板と、
前記第１の背板よりも前面側に取り付けられて、前記第１の背板と共に背面を構成し、内側に向かって開放された第２の背板と、
前記箱状体に設けられ、前記第１の背板及び前記第２の背板を着脱自在に取り付けるための複数の着脱部材と、を有し、
前記第１の背板及び前記第２の背板は、それぞれ前記複数の着脱部材を用いて前記箱状体の背面側に、着脱自在に取り付けられることを特徴とする仏壇。
【請求項２】
前記第１の背板及び前記第２の背板は、前記第１の背板及び前記第２の背板の両背板を構成する素材、前記両背板に施された模様、前記両背板に施された装飾及び前記両背板の色調のうち少なくとも１つが互いに異なる請求項１に記載の仏壇。
【請求項３】
前記第１の背板は、前記仏壇の使用者が前記第１の背板を着脱する際に、前記第１の背板を掴んで支持するための凹部である背板側掴み口、又は、前記第１の背板を掴んで支持するための把手の少なくとも一方を有する請求項１又は２に記載の仏壇。
【請求項４】
前記複数の着脱部材は、前記箱状体に埋め込まれた複数の金属製の雌ねじ部材と、前記雌ねじ部材と螺合し、かつ、頭部を有する複数の金属製の雄ねじ部材とを含んで構成され、
前記第１の背板及び前記第２の背板は、前記雄ねじ部材のねじ部の外径よりも大きく、前記雄ねじ部材の頭部の外径よりも小さい径を有する複数の取付孔が形成される請求項１〜３のいずれか一項に記載の仏壇。
【発明の詳細な説明】
【技術分野】
【０００１】
本発明は、仏壇に係り、詳しくは、背板が着脱自在な構成を有する仏壇に関する。
【背景技術】
【０００２】
仏壇は、本尊及び位牌等の仏具を安置するためのものであり、仏閣をはじめとして、一般家庭においても広く普及している。特に、一般家庭においては、仏壇を容易に設置できる等の理由から、多くの仏閣において設置される仏壇と比較して小型の仏壇が普及している。上記のような、一般家庭に設置容易な小型の仏壇においては、様々な形状及び機能を有した仏壇が考案されており、仏壇の機能及び美観の向上等の点から、様々な改良がなされている（特許文献１及び２参照）。
【０００３】
特許文献１は、側板の側方において開閉扉を折り畳み可能に形成し、折り畳まれた状態の開閉扉を、側板の外側に設けられた収納空間に収納できる仏壇を開示している。この際に、仏壇を構成する天板及び底板より外側に開閉扉が突出しないように、開閉扉は、収納空間に収納される。
【０００４】
特許文献２は、変形自在な部材で構成された略矩形のシート状の表示体を、仏壇の天板と底板に設けられた溝に沿ってスライドさせて配設することで、絵柄が表示された表示体を背板の手前側に着脱自在に配設する仏壇が開示されている。
【先行技術文献】
【特許文献】
【０００５】
【特許文献１】特開２０１５−２１１７１４号公報
【特許文献２】特開２００９−２５５３３９号公報
【発明の概要】
【発明が解決しようとする課題】
【０００６】
ところで、現代においては、人々の生活様式が益々多様化しており、それ故に、例えば、人々の居住空間のデザイン及びレイアウト等も、生活様式と同様に多様化している。そのため、多様化する居住空間に設置される仏壇は、多様な生活様式に則した機能及びデザインを有することが望まれている。しかしながら、従来の仏壇は、構成部品が着脱自在に組み立てられていないため、例えば、仏壇のデザインを変更する際に、余分な部品を含めた仏壇の分解及び組み立ての作業をしなければならなかった。そのため、仏壇の使用者は、仏壇のデザインを変更する際に、多大な労力を要した。特許文献１に開示の技術では、開閉扉を仏壇の側面に収納することで、使用者に対して美観を与えることができるが、仏壇を構成する部品が着脱自在に組み立てられていないため、仏壇のデザインを容易に変更することができないという問題があった。
【０００７】
また、特許文献２に開示の技術では、天板と底板に設けられた溝に沿って、側板の側方から表示体を配設するため、表示体の材質がシート状、又は、シート状に加工可能な材質に限定されるという問題があった。
【０００８】
本発明は、このような従来の問題点を解消するためになされたもので、デザインを容易に、かつ多様に変更することができる仏壇を提供することを目的とする。
【課題を解決するための手段】
【０００９】
上記目的を解決するために、本発明は、前面に開閉扉を有する箱状体を成す仏壇であって、箱状体の背面を構成し、外側に向かって開放された第１の背板と、第１の背板よりも前面側に取り付けられて、第１の背板と共に背面を構成し、内側に向かって開放された第２の背板と、箱状体に設けられ、第１の背板及び第２の背板を着脱自在に取り付けるための複数の着脱部材と、を有し、第１の背板及び第２の背板は、それぞれ複数の着脱部材を用いて箱状体の背面側に、着脱自在に取り付けられることを特徴とする仏壇を提供するものである。
【００１０】
更に、第１の背板及び第２の背板は、第１の背板及び第２の背板の両背板を構成する素材、両背板に施された模様、両背板に施された装飾及び両背板の色調のうち少なくとも１つが互いに異なっても良い。
【００１１】
また、第１の背板は、仏壇の使用者が第１の背板を着脱する際に第１の背板を掴んで支持するための凹部である背板側掴み口を有することが好ましい。
【００１２】
また、複数の着脱部材は、箱状体に埋め込まれた複数の金属製の雌ねじ部材と、雌ねじ部材と螺合し、かつ、頭部を有する複数の金属製の雄ねじ部材とを含んで構成され、第１の背板及び第２の背板は、雄ねじ部材のねじ部の外径よりも大きく、雄ねじ部材の頭部の外径よりも小さい径を有する複数の取付孔が形成されることが好ましい。
【００１３】
また、箱状体の両側面を構成する一対の側板と、箱状体の背面側であって、一対の側板の上端部に固定された板材である背板取付桟と、箱状体の背面側であって、一対の側板の下端部に固定された板材である後板と、を更に有し、複数の着脱部材は、一対の側板、背板取付桟及び後板における箱状体の背面側に向いた面にそれぞれ設けられ、第１の背板は、一対の側板に設けられた複数の着脱部材に取り付けられ、第２の背板は、背板取付桟及び後板に設けられた複数の着脱部材にそれぞれ取り付けられることが好ましい。
【発明の効果】
【００１４】
本発明によれば、第１の背板及び第２の背板を着脱自在に取り付けるための複数の着脱部材を有するため、仏壇のデザインを容易に、かつ多様に変更することができる。
【図面の簡単な説明】
【００１５】
【図１】本発明の仏壇の正面側を示す斜視図であり、開閉扉が閉じた状態を示す。
【図２】図１に示す仏壇の開閉扉が開放された状態を示す斜視図である。
【図３】図１に示す仏壇を側面側から見た部分断面図である。
【図４】図２に示す仏壇の背面側を示す斜視図である。
【図５】図３に示す仏壇において第１の背板が取り外された状態を示す斜視図である。
【図６】図３に示す仏壇において第１の背板及び第２の背板が取り外された状態を示す斜視図である。
【発明を実施するための形態】
【００１６】
以下、本発明の好適な実施形態を添付図面に基づいて説明する。
図１は、本発明の仏壇の正面側を示す斜視図であり、開閉扉が閉じた状態を示す。また、図２は、本発明の仏壇の正面側を示す斜視図であり、開閉扉が開放された状態を示す。また、図３は、本発明の仏壇を側面側から見た部分断面図である。
【００１７】
図１及び図２に示すように、本発明の仏壇１０は、前面に開閉扉１２を有する直方体形状の箱状体を成し、仏壇１０の天井を構成する支輪１４と、仏壇１０の底部を構成する地板１６と、仏壇１０の側面を構成する一対の側板１８、１８と、仏壇１０の背面両脇に配設された一対の飾り柱２０、２０とを有する。また仏壇１０は、図３に示すように、仏壇１０の背面を構成し、仏壇１０の外側に向かって開放された第１の背板２２と、第１の背板２２よりも仏壇１０の前面側に取り付けられて第１の背板２２と共に仏壇１０の背面を構成し、仏壇１０の内側に向かって解放された第２の背板２４と、を有する。更に、仏壇１０は、仏壇１０の前面側において支輪１４の内側面に当接し開閉扉１２が閉じる際のストッパとなる板材である扉框２６と、扉框２６よりも仏壇１０の背面側に配設される板材である照明桟２８と、照明桟２８よりも仏壇１０の背面側に配設され、支輪１４の内側面に当接する天板３０と、天板３０よりも仏壇１０の背板側に配設された、第２の背板２４を取り付けるための板材である背板取付桟３２と、階段形状を成し、仏壇１０の内側に配設されて本尊及び位牌等の仏具を配置するための仏具棚３４と、を有する。
【００１８】
なお、以下においては、支輪１４、地板１６、一対の側板１８、１８、第１の背板２２及び第２の背板２４は、それぞれ直方体形状の板材であるとして本発明の仏壇１０を説明する。また、以下において、一対の飾り柱２０、２０は、四角柱であるとして説明する。
また、開閉扉１２は、仏壇１０の前面両脇において支輪１４及び地板１６と回動自在に嵌合され、一対の側板１８、１８はそれぞれ支輪１４の内側面及び地板１６の内側面において釘及び木ねじ等を用いて固定される。また、一対の飾り柱２０、２０は、一対の側板１８、１８に釘及び木ねじ等を用いて固定される。また、扉框２６、照明桟２８、天板３０、背板取付桟３２、及び、仏具棚３４は、その側面部において一対の側板１８、１８と、それぞれ嵌合される。また、仏壇１０に対する第１の背板２２及び第２の背板２４の着脱手段については、後に説明する。
【００１９】
仏壇１０の開閉扉１２は、仏壇１０の内側を、仏壇１０の前面側に開放、又は仏壇１０の前面側から遮蔽するためのものである。図１及び図２において、開閉扉１２は、仏壇１０の中心側から一対の側板１８、１８側に向かって開閉する両開きの扉であり、４枚の直方体の板材である扉板１２ａ、１２ｂ、１２ｃ及び１２ｄ、及び、４つの蝶番１２ｅ、並びに把手１２ｆを含んで構成される。開閉扉１２の扉板１２ａと１２ｂ、及び扉板１２ｃと１２ｄとは、それぞれ２つの蝶番１２ｅ及び１２ｅを用いて、仏壇１０の前面に向かって山折り自在となるように接続される。また、開閉扉１２が有する４枚の扉板１２ａ、１２ｂ、１２ｃ及び１２ｄのうち、開閉扉１２が閉じた状態において仏壇１０の中心側に位置する扉板１２ｂ及び１２ｃには、仏壇１０の使用者が、開閉扉１２を開閉する際に掴むための把手１２ｆがそれぞれ備えられている。
【００２０】
また、開閉扉１２が有する４枚の扉板１２ａ、１２ｂ、１２ｃ及び１２ｄのうち、一対の側板１８、１８側に配設されている扉板１２ａ及び１２ｄには、支輪１４及び地板１６と回動自在に嵌合される太径柱状の柱部１３ａ及び１３ｂがそれぞれ形成されている。この柱部１３ａ及び１３ｂの上面及び下面には、図示しない凹部が形成されている。これらの柱部１３ａ及び１３ｂに形成された凹部と支輪１４及び地板１６に形成された後述する凹部には、これらの凹部よりも外径の小さな図示しない棒状片の一端側及び他端側が挿入される。これにより、開閉扉１２は、柱部１３ａ及び１３ｂを中心として、仏壇１０の外側において回動することができる。
【００２１】
仏壇１０の支輪１４は、仏壇１０の天井を構成する板材であって、仏壇１０の内側を仏壇１０の天井側から遮蔽する。支輪１４の内側面における、仏壇１０の前面側の両脇には、開閉扉１２の扉板１２ａ及び１２ｄに形成された柱部１３ａ及び１３ｂを嵌合するための図示しない凹部がそれぞれ形成されている。
また、図４に示すように、支輪１４の内側面における、仏壇１０の背面側の端部には、第１の背板２２を仏壇１０に取り付ける際に、その上部位置を決めるための溝である支輪側位置決め溝１４ａが形成されている。この支輪側位置決め溝１４ａの溝幅は、第１の背板２２の板厚よりも少し広いことが好ましい。
【００２２】
仏壇１０の地板１６は、仏壇１０の底部を構成する板材であって、仏壇１０の土台となる部材である。地板１６の内側面における、仏壇１０の前面側の両脇には、開閉扉１２の扉板１２ａ及び１２ｄに形成された柱部１３ａ及び１３ｂを嵌合するための図示しない凹部がそれぞれ形成されている。
また、図３に示すように、地板１６の内側面における、仏壇１０の背面側の端部には、第１の背板２２を仏壇１０に取り付ける際に、その下部位置を決めるための溝である地板側位置決め溝１６ａが形成されている。この地板側位置決め溝１６ａの溝幅は、支輪側位置決め溝１４ａの溝幅と同様に、第１の背板２２の板厚よりも少し広いことが好ましい。
【００２３】
また、図４に、本発明の仏壇１０を背面側から見た斜視図を示す。この図４に示すように、地板１６における仏壇１０の背面側に向いた面の中心部分には、仏壇１０の使用者が第１の背板２２を掴むための凹部である地板側掴み口１６ｂが形成されている。このように、地板１６に地板側掴み口１６ｂが形成されることにより、仏壇１０の使用者は、第１の背板２２を着脱する際に仏壇１０の底部側から第１の背板２２を掴むことができる。
【００２４】
仏壇１０の一対の側板１８、１８は、仏壇１０の側面をそれぞれ構成する板材であって、仏壇１０の内側を、その両方の側面側から遮蔽する。また、一対の側板１８、１８の内側面の上部及び下部において複数の図示しない凹部が形成されており、これらの凹部に図示しない棒状片の一端側がそれぞれ嵌合され、扉框２６、照明桟２８、天板３０、背板取付桟３２及び仏具棚３４に形成された後述する凹部に棒状片の他端側がそれぞれ嵌合されることにより、一対の側板１８、１８と扉框２６、照明桟２８、天板３０、背板取付桟３２及び仏具棚３４とがそれぞれ固定される。
【００２５】
また、図５に、第１の背板が取り外された状態の本発明の仏壇を背面側から見た斜視図を示す。図５に示すように、一対の側板１８、１８における仏壇１０の背面側に向いた面には、第１の背板２２を取り付けるための側板側受け穴１８ａがそれぞれ形成されている。これらの側板側受け穴１８ａには、雌ねじ形状を有する金属製の雌ねじ部材１９がそれぞれ埋め込まれ、これらの雌ねじ部材１９は、接着剤等を用いて側板側受け穴１８ａにそれぞれ固定されている。また、一対の側板１８、１８の内側面において第２の背板２４よりも仏壇１０の背面側に位置する箇所には、第２の背板２４を押えるための図示しない樹脂を取り付けるための樹脂取付穴１８ｂが形成されている。
【００２６】
また、一対の側板１８、１８は、例えば図１及び図２に示すように、側板１８に垂直な方向において、開閉扉１２に形成された柱部１３ａ及び１３ｂ、並びに一対の飾り柱２０、２０よりも仏壇１０の内側に位置するように配設される。このような位置に一対の側板１８、１８を配設することにより、それぞれの側板１８、１８の外側において、支輪１４、地板１６、側板１８及び飾り柱２０により構成される４つの面を有し、側板１８から仏壇１０の外側に向けて開放された空間である開閉扉収納部３６が形成される。この開閉扉収納部３６により、例えば、開閉扉１２を、図１に示すような閉じた状態から、柱部１３ａ及び１３ｂを中心として仏壇１０の外側を回動させ、蝶番１２ｅの取り付け箇所において折り畳むと共に側板１８の外側面に近接させることにより、開閉扉１２を開閉扉収納部３６に収納することができる。
【００２７】
仏壇１０の扉框２６は、仏壇１０の前面側において支輪１４の内側面に当接し、開閉扉１２が閉じる際のストッパとなる板材である。図３に示すように、扉框２６の一対の側板１８、１８側の側面には、凹部２６ａがそれぞれ２つ形成されている。これらの凹部２６ａに図示しない棒状片の一端側が嵌合され、側板１８に形成された図示しない凹部に棒状片の他端側が嵌合されることにより、扉框２６は、一対の側板１８、１８に固定される。
【００２８】
仏壇１０の照明桟２８は、扉框２６よりも仏壇１０の背面側に配設されて、仏壇１０の内側を照明するための図示しない光源を取り付けるための板材である。照明桟２８の一対の側板１８、１８側の側面には、凹部２８ａがそれぞれ２つ形成されている。これらの凹部２８ａに図示しない棒状片の一端側が嵌合され、側板１８に形成された図示しない凹部に棒状片の他端側が嵌合されることにより、照明桟２８は、扉框２６と同様に、一対の側板１８、１８に固定される。また、照明桟２８の中心部分には、光源を取り付けるための光源取付部材２８ｂが設けられている。光源取付部材２８ｂには、例えば、電球等の光源を螺合するための周知のソケット等を用いることができる。また、照明桟２８は、扉框２６よりも仏壇１０の背面側に配設されるため、光源取付部材２８ｂに取り付けられた光源を、扉框２６により、仏壇１０の前面側から遮蔽させることができる。
【００２９】
仏壇１０の天板３０は、照明桟２８よりも仏壇１０の背面側において支輪１４の内側面に当接して配設されて、扉框２６、照明桟２８及び背板取付桟３２と共に、支輪１４を支持する板材である。天板３０の一対の側板１８、１８側の側面には、凹部３０ａがそれぞれ３つ形成されている。これらの凹部３０ａに図示しない棒状片の一端側が嵌合され、側板１８に形成された図示しない凹部に棒状片の他端側が嵌合されることにより、扉框２６及び照明桟２８と同様に、天板３０は、一対の側板１８、１８に固定される。
【００３０】
仏壇１０の背板取付桟３２は、天板３０よりも仏壇１０の背面側において支輪１４の内側面に当接して配設されて、第２の背板２４を取り付けるための板材である。背板取付桟３２の一対の側板１８、１８側の側面には、凹部３２ａがそれぞれ２つ形成されている。これらの凹部３２ａに図示しない棒状片の一端側が嵌合され、側板１８に形成された図示しない凹部に棒状片の他端側が嵌合されることにより、背板取付桟３２は、扉框２６、照明桟２８及び天板３０と同様に、一対の側板１８、１８に固定される。
また、図６に、第１の背板及び第２の背板が取り外された状態の本発明の仏壇を背面側から見た斜視図を示す。図６に示すように、背板取付桟３２における仏壇１０の背面側に向いた面には、第２の背板２４を取り付けるための上部受け穴３２ｂが側板１８に垂直な方向に３つ形成されている。また、これらの上部受け穴３２ｂには、一対の側板１８、１８に形成された側板側受け穴１８ａと同様に、雌ねじ形状を有する金属製の雌ねじ部材３３がそれぞれ埋め込まれ、これらの雌ねじ部材３３は、接着剤等を用いて上部受け穴３２ｂにそれぞれ固定されている。
【００３１】
仏壇１０の仏具棚３４は、仏壇１０の内側に配設されて、本尊及び位牌等の仏具を配置するための階段形状の部材である。仏具棚３４は、図３に示すように、最上段に位置する直方体形状のひな壇３８と、ひな壇３８が載置される硝子棚４０と、一対の側板１８、１８側の両端部において硝子棚４０の下側面に当接して硝子棚４０を支持する一対の受けコマ４２と、ひな壇３８及び硝子棚４０よりも大きい板材であり受けコマ４２と固定される中板４４と、中板４４よりも大きい板材であり中板４４の１つ下の段を構成する膳引き４６と、膳引き４６を支持する板材である膳引き摺桟４８と、を有する。また、仏具棚３４は、仏壇１０の天井側に向かって開放された箱状体である引出５０が膳引き摺桟４８の下段に設けられており、仏具棚３４の最下段には、引出５０の下側面に当接する板材である引出摺桟５２が配設されている。また、仏具棚３４は、仏壇１０の背面側における中板４４の端部に当接して配設されて仏具棚３４の背面を構成すると共に、第２の背板２４を取り付けるための板材である後板５４を有する。
【００３２】
なお、ひな壇３８は、シリコンシート等の図示しない滑り止めシートを介して硝子棚４０に載置され、硝子棚４０も、ひな壇３８と同様に図示しない滑り止めシートを介して一対の受けコマ４２に載置されている。また、一対の受けコマ４２は、中板４４に嵌合され、中板４４及び後板５４は、一対の側板１８、１８にそれぞれ嵌合されている。また、膳引き摺桟４８は、釘及び木ねじ等を用いて一対の側板１８、１８に固定されている。また、引出摺桟５２は、釘及び木ねじ等を用いて地板１６に固定されている。また、膳引き４６及び引出５０は、それぞれ膳引き摺桟４８上及び引出摺桟５２上を、第１の背板２２に垂直な方向にスライドできるように、中板４４と膳引き摺桟４８との間、及び、膳引き摺桟４８と引出摺桟５２との間にそれぞれ挿入されている。
【００３３】
仏具棚３４のひな壇３８は、本尊等の仏具を配置するための、仏具棚３４の最上段に位置する直方体形状の板材である。図３において、ひな壇３８は、硝子棚４０に載置された際に、硝子棚４０よりも仏壇１０の前面側に突出する。ひな壇３８は、この突出部分の下側面が硝子棚４０の下側面と揃うように、下側面において硝子棚４０の厚さだけ凹部３８ａが形成される。このように、ひな壇３８に凹部３８ａを形成することにより、ひな壇３８を硝子棚４０に載置した際のデザイン性を向上させることができる。
【００３４】
仏具棚３４の中板４４は、位牌等の仏具を配置するための、ひな壇３８及び硝子棚４０よりも大きい板材である。中板４４の一対の側板１８、１８側の側面には、凹部４４ａがそれぞれ２つ形成されている。この凹部４４ａに図示しない棒状片の一端側が嵌合され、側板１８の内側面に形成された図示しない凹部に棒状片の他端側が嵌合されることにより、中板４４が一対の側板１８、１８に固定される。
また、中板４４は、仏壇１０の背面側の端部において、仏壇１０の底面側に向いた面に段差を設けるように形成された薄板部４４ｂを有する。この薄板部４４ｂが形成されることにより、中板４４に形成された段差の長さだけ後板５４を支輪１４側に配置することができるため、後板５４に第２の背板２４を取り付けるためのスペースを広く確保することができる。
【００３５】
仏具棚３４の膳引き４６は、香炉及び火立て等の仏具を配置するための、中板４４よりも大きい板材であって、中板４４の１つ下の段を構成する。膳引き４６は、中板４４と膳引き摺桟４８との間に挿入される。この際、膳引き４６は、仏壇１０に固定されずに膳引き摺桟４８に載置されるため、第１の背板２２に垂直な方向において膳引き摺桟４８上をスライドすることができる。
【００３６】
仏具棚３４の引出５０は、図２及び図３に示すように、膳引き摺桟４８と引出摺桟５２との間の空間である引出収納部５３に挿入されて、線香及び蝋燭等の備品等を収納する箱状体を成す部材である。引出５０は、その内側が仏壇１０の天井側に開放された箱状体である収納箱５０ａと、収納箱５０ａの前面に取り付けられた引出前板５０ｂと、引出前板５０ｂの前面に取り付けられた把手５０ｃと、を有する。地板１６に垂直な方向において引出前板５０ｂは、膳引き４６の下側面から引出摺桟５２の上側面までの距離よりも少し短い。そのため、膳引き摺桟４８を、引出５０を引出収納部５３に挿入する際のストッパとすることができる。
【００３７】
仏具棚３４の後板５４は、仏壇１０の背面側における中板４４の端部に当接して配設され、仏具棚３４の背面を構成すると共に、第２の背板２４を取り付けるための部材である。図３に示すように、後板５４の一対の側板１８、１８側の側面には、凹部５４ａがそれぞれ２つ形成されている。この凹部５４ａに図示しない棒状片の一端側が嵌合され、側板１８の内側面に形成された図示しない凹部に棒状片の他端側が嵌合されることにより、後板５４が一対の側板１８、１８に固定される。
【００３８】
また、後板５４は、その上部において、仏壇１０の背面側に向かって段差を設けるように形成された、板厚の薄い薄板部５４ｂを有する。更に、図６に示すように、薄板部５４ｂにおける仏壇１０の背面側に向いた面には、第２の背板２４を取り付けるための下部受け穴５４ｃが側板１８に垂直な方向に３つ形成されている。これらの下部受け穴５４ｃには、背板取付桟３２に形成された上部受け穴３２ｂと同様に、雌ねじ形状を有する金属製の雌ねじ部材５５がそれぞれ埋め込まれ、これらの雌ねじ部材５５は、接着剤等を用いて下部受け穴５４ｃにそれぞれ固定されている。
【００３９】
図３及び図４に示すように、仏壇１０の第１の背板２２は、第２の背板２４と共に仏壇１０の背面を構成し、仏壇１０の外側に向かって開放されている板材である。第１の背板２２における支輪１４に垂直な方向の幅は、支輪１４から地板１６までの距離よりも少し短く、第１の背板２２における側板１８に垂直な方向の幅は、一対の飾り柱２０、２０間の距離よりも少し短い。また、第１の背板２２の板厚は、一対の側板１８、１８における仏壇１０の背面側を向いた面から一対の飾り柱２０、２０における仏壇１０の背面側を向いた面までの距離よりも少し薄い。また、図４及び図５に示すように、第１の背板２２には、第１の背板２２を一対の側板１８、１８にそれぞれ取り付けるための第１の背板取付孔２２ａがそれぞれ形成されている。これらの第１の背板取付孔２２ａは、一対の側板１８、１８に設けられた雌ねじ部材１９の内径よりも大きい孔径を有する。また、第１の背板取付孔２２ａは、第１の背板２２が一対の側板１８、１８における仏壇１０の背面側に向いた面に当接した際に、第１の背板２２の面内方向において、一対の側板１８、１８に設けられた雌ねじ部材１９の内径部分が第１の背板取付孔２２ａ内に位置するように形成される。
【００４０】
したがって、第１の背板２２を仏壇１０に取り付ける際には、第１の背板２２は、一対の側板１８、１８における仏壇１０の背面側を向いた面と当接し、かつ、支輪１４、地板１６及び一対の飾り柱２０、２０により構成される枠の内側に配置される。この際に、第１の背板２２は、支輪１４側の端部及び地板１６側の端部が、支輪１４の内側面に形成された支輪側位置決め溝１４ａ及び地板側位置決め溝１６ａにそれぞれ挿入されて、仏壇１０への取り付け位置が決められる。更に、雄ねじ形状、及び、第１の背板取付孔２２ａの孔径よりも外径の小さいねじ部と、第１の背板取付孔２２ａの孔径よりも外径の大きい頭部を有する図示しない金属製の雄ねじ部材が、仏壇１０の背面側から第１の背板取付孔２２ａを貫通して側板１８に設けられた雌ねじ部材１９と螺合することにより、第１の背板２２が、仏壇１０に対して着脱自在に取り付けられる。
【００４１】
また、図４に示すように、第１の背板２２における地板１６側の端部には、第１の背板２２を掴むための凹部である背板側掴み口２２ｂが形成されている。このように、第１の背板２２に背板側掴み口２２ｂが形成されることにより、仏壇１０の使用者は、第１の背板２２を着脱する際に、地板１６側から第１の背板２２を掴んで支持することができる。
【００４２】
仏壇１０の第２の背板２４は、図３及び図５に示すように、第１の背板２２よりも仏壇１０の前面側に取り付けられて第１の背板２２と共に仏壇１０の背面を構成し、仏壇１０の内側に向かって解放されている板材である。第２の背板２４における支輪１４に垂直な方向の幅は、支輪１４の内側面から後板５４における支輪１４側に向いた２面のうち低い位置にある面までの距離よりも少し短く、第２の背板２４における側板１８に垂直な方向の幅は、一対の側板１８、１８間の距離よりも少し短い。また、第２の背板２４の板厚は、背板取付桟３２及び第１の背板２２との間において、第２の背板２４が仏壇１０に取り付けることができれば、特に制限されない。
【００４３】
また、図５及び図６に示すように、第２の背板２４には、第２の背板２４を背板取付桟３２及び後板５４に取り付けるための第２の背板取付孔２４ａがそれぞれ形成されている。これらの第２の背板取付孔２４ａは、背板取付桟３２及び後板５４に設けられた雌ねじ部材３３及び５５の内径よりも大きい孔径を有する。また、第２の背板取付孔２４ａは、第２の背板２４が背板取付桟３２及び後板５４の薄板部５４ｂにおける仏壇１０の背面側に向いた面にそれぞれ当接した際に、第２の背板２４の内側面の面内方向において、雌ねじ部材３３及び５５の内径部分が第２の背板取付孔２４ａ内にそれぞれ位置するように形成される。
【００４４】
したがって、第２の背板２４を仏壇１０に取り付ける際には、第２の背板２４は、第１の背板２２が仏壇１０から取り外された状態において、背板取付桟３２及び後板５４の薄板部５４ｂにおける仏壇１０の背面側を向いた面と当接し、かつ、一対の側板１８、１８の内側に配置される。そして、雄ねじ形状、及び、第２の背板取付孔２４ａの孔径よりも外径の小さいねじ部と、第２の背板取付孔２４ａの孔径よりも外径の大きい頭部とを有する図示しない金属製の雄ねじ部材が、仏壇１０の背面側から第２の背板取付孔２４ａを貫通して、背板取付桟３２及び後板５４に設けられた雌ねじ部材３３及び５５と螺合することにより、第２の背板２４が、仏壇１０に対して着脱自在に取り付けられる。更に、一対の側板１８、１８に形成された樹脂取付穴１８ｂに、第２の背板２４を押えるための図示しない樹脂を取り付けることにより、第２の背板２４を、より安定した状態で仏壇１０に取り付けることができる。
【００４５】
また、第２の背板２４は、第２の背板取付孔２４ａが複数形成されて、背板取付桟３２及び後板５４に取り付けられることができれば、その素材において特に制限はない。例えば、第２の背板２４の素材として、木材、アクリル板等の樹脂材、金属、ガラス、石材及びセラミックス等の種々の素材を用いることができ、例えば、板材に紙、布、樹脂シート、金属箔又は異なる板材等を貼り合せた板材等の複合素材を用いることもできる。
また、第２の背板２４は、仏壇１０へ取り付けられることができれば、仏壇１０の内側及び外側に向いた面において任意の模様及び装飾等が施されていても良く、任意の色調を有していても良い。また、例えば、第２の背板２４には、仏壇１０のデザイン性を向上させるために、任意の模様を象った形状を有する孔が複数形成されることもできる。
【００４６】
以上のように、本発明の仏壇１０は、第１の背板２２及び第２の背板２４を、その他の仏壇１０の構成要素とは独立して、雌ねじ部材１９、３３及び５５、並びに図示しないそれぞれの雄ねじ部材等の複数の着脱部材を用いて容易に着脱することができる。また、第２の背板２４を取り外した際に、その第２の背板２４を異なる素材、模様及び色調を有する第２の背板に交換することもできる。このように、本発明によれば、開閉扉１２が開放された状態における仏壇のデザインを、第２の背板２４を交換することにより容易に変更することができる。
【００４７】
なお、開閉扉１２の扉板１２ａ及び１２ｄに、柱部１３ａ及び１３ｂが形成されているとしたが、柱部１３ａ及び１３ｂは、扉板１２ａ及び１２ｄと独立した部材であってもよい。すなわち、図示しないが、扉板１２ａ及び１２ｄに柱部１３ａ及び１３ｂが形成される代わりに仏壇１０の前面の両脇にそれぞれ柱を設け、これらの柱と扉板１２ａ及び１２ｂとを釘及び木ねじ等を用いて固定してもよい。
【００４８】
また、開閉扉１２は、扉板１２ａ及び１２ｄに形成される柱部１３ａ及び１３ｂを中心として回動することにより開放されることを説明したが、仏壇１０の内側を、仏壇１０の前面側に開放できれば、開閉扉１２として、他の構成を採用することもできる。例えば、図示しないが、開閉扉として、扉板１２ａ及び１２ｄに柱部１３ａ及び１３ｂが形成される代わりに仏壇１０の前面の両脇にそれぞれ回動しない柱を設け、これらの柱と扉板１２ａ及び１２ｂとを、蝶番を用いて、仏壇１０の前面側に向かって谷折りとなるように接続する構成を用いることもできる。
【００４９】
また、開閉扉１２は、４枚の扉板１２ａ、１２ｂ、１２ｃ及び１２ｄを有するものとして説明したが、４枚の扉板を有することに制限されるものではない。例えば、図示しないが、開閉扉１２は、扉板を２枚のみ有していても良いし、扉板を１枚のみ有していても良い。例えば、開閉扉１２が扉板を２枚のみ有している場合には、それぞれの扉板を折り畳まないことを除いて上述した態様と同様に仏壇１０の前面側に開放することができる。
【００５０】
また、扉板１２ａ及び１２ｄに形成された柱部１３ａ及び１３ｂにおける支輪１４側の端部及び地板１６側の端部に、図示しない凹部が形成され、これらの凹部と支輪１４及び地板１６の内側面にそれぞれ形成された図示しない凹部とに棒状片が挿入されると説明したが、扉板１２ａ及び１２ｄが回動して仏壇１０の前面が開放されることができれば、柱部１３ａ及び１３ｂに凹部が形成されなくても良い。例えば、柱部１３ａ及び１３ｂの長手方向の両面を貫通するように、貫通孔を形成して、支輪１４及び地板１６の内側面に形成された凹部に棒状片をそれぞれ嵌合し、この棒状片を貫通孔に挿入することもできる。また、例えば、柱部１３ａ及び１３ｂに形成された貫通孔に回動軸を挿通して、この回動軸の長手方向の両端部を支輪１４及び地板１６の内側面に形成された凹部に挿入することもできる。
【００５１】
また、第１の背板２２は、第１の背板取付孔２２ａが形成されて、一対の側板１８、１８に取り付けられることができれば、その素材において特に制限はなく、第２の背板２４と同様に種々の素材を用いて構成されることができる。例えば、第１の背板２２の素材として、第２の背板２４と同様に、木材、アクリル板等の樹脂材、金属、ガラス、石材及びセラミックス等の種々の素材を用いることができ、板材に紙、布、樹脂シート、金属箔又は異なる板材を貼り合せた板材等の複合素材を用いることもできる。更に、第１の背板２２は、第２の背板２４と同様に、仏壇１０の内側及び外側に向いた面において任意の模様及び装飾等が施されていても良く、任意の色調を有していても良い。
【００５２】
また、第１の背板２２及び第２の背板２４は、互いに異なる素材であっても良く、互いに異なる模様及び装飾が施されていても良く、互いに異なる色調を有していても良い。また、第１の背板２２及び第２の背板２４は、互いに同一の素材、模様、装飾及び色調の板材であっても良い。
このように、第１の背板２２として、多様な板材を用いた場合には、特に、第１の背板２２と第２の背板２４との組み合わせにより、仏壇１０の内側のデザインを、より多様なデザインに変更することができる。
【００５３】
また、第１の背板２２に、仏壇１０の使用者が地板１６側から第１の背板２２を掴んで支持するための凹部である背板側掴み口２２ｂが形成されることを説明したが、仏壇１０の使用者が、第１の背板２２を着脱する際に、第１の背板２２を支持することができれば、背板側掴み口２２ｂが形成されていることに特に限定されない。例えば、第１の背板２２に背板側掴み口２２ｂが形成される代わりに、第１の背板２２における仏壇１０の背面側を向いた面に、図示しない把手が設けられていても良い。その場合には、仏壇１０の使用者は、第１の背板２２を着脱する際に、第１の背板２２に設けられた把手を掴んで、第１の背板２２を支持することができる。
もちろん、第１の背板２２に把手を設けると共に、背板側掴み口２２ｂが形成されていても良い。
また、例えば、第１の背板２２に設けられた上記の把手は、釘、木ねじ及び接着剤等を用いて第１の背板２２に取り付けられることができ、仏壇１０の使用者が、第１の背板２２を着脱する際に第１の背板２２を支持できれば、把手は、吸盤及び磁石等を用いて第１の背板２２に取り付けられることもできる。
【００５４】
また、上記の説明において、一対の側板１８、１８、背板取付桟３２、及び仏具棚３４の後板５４に設けられた雌ねじ部材１９、３３及び５５、並びに、これらの雌ねじ部材１９、３３及び５５に螺合する雄ねじ部材は、それぞれ金属製であるとしたが、第１の背板２２及び第２の背板２４を安定して仏壇１０に取り付けることができるものであれば、金属製であることに限定されない。例えば、これらの雌ねじ部材１９、３３及び５５並びに雄ねじ部材として、樹脂製のものが用いられても良く、セラミックス等の素材により構成されたものが用いられても良い。
【００５５】
また、図示しない雄ねじ部材が、仏壇１０の背面側から第１の背板２２に形成された第１の背板取付孔２２ａを貫通して一対の側板１８、１８に設けられた雌ねじ部材１９と螺合することにより、第１の背板２２が一対の側板１８、１８に取り付けられると説明したが、第１の背板２２を着脱自在に、かつ、仏壇１０の内側を仏壇１０の背面側から遮蔽するように取り付けられることができれば、第１の背板２２の取り付け方法は、特に限定されない。
【００５６】
例えば、一対の側板１８、１８において側板側受け穴１８ａ及び雌ねじ部材１９を設ける代わりに着脱部材として磁石又は面ファスナを設け、また、第１の背板２２において第１の背板取付孔２２ａを形成する代わりに着脱部材として磁石及び面ファスナ等を設けることにより、これらの磁石及び面ファスナ等を介して一対の側板１８、１８と第１の背板２２とをそれぞれ着脱自在に取り付けることができる。また、例えば、凸形状の部材及び凹形状の部材からなる一組の留め具であり、それぞれの部材の凸形状部分と凹形状部分を押し付ける、また、引き離すことにより互いに着脱自在なスナップを用いて、一対の側板１８、１８と第１の背板２２とをそれぞれ着脱自在に取り付けることもできる。
また、第１の背板２２は、例えば、支輪１４、地板１６及び一対の飾り柱２０、２０等の一対の側板１８、１８以外の部材に取り付けることもできる。
【００５７】
また、第２の背板２４も、着脱自在に、かつ、仏壇１０の前面側に開放されるように取り付けられることができれば、第１の背板２２と同様に、上述した方法により仏壇１０に取り付けられなくても良い。第２の背板２４は、例えば、第１の背板２２と同様に、磁石、面ファスナ及びスナップ等、及び、その他の周知の着脱部材を用いて背板取付桟３２及び後板５４に第２の背板２４を取り付けることができる。
また、第２の背板２４は、例えば、一対の側板１８、１８等の背板取付桟３２及び後板５４以外の部材に取り付けることもできる。
【００５８】
また、第１の背板２２及び第２の背板２４を仏壇１０に取り付ける際に用いられる図示しない雄ねじ部材は、第１の背板２２及び第２の背板２４を仏壇１０に容易に着脱できるものであれば、その形状において特に制限されない。例えば、雄ねじ部材の頭部は、六角頭、四角頭、丸頭、なべ頭、平頭及びチーズ頭等の周知の形状を有することができ、すりわり、十字穴、Ｈ形穴、六角穴及び四角穴等の周知の溝又は穴が形成されていても良い。
【００５９】
また、上記の説明においては、扉框２６に形成された凹部２６ａ、照明桟２８に形成された凹部２８ａ、天板３０に形成された凹部３０ａ、背板取付桟３２に形成された凹部３２ａ及び上部受け穴３２ｂ、仏具棚３４の中板４４に形成された凹部４４ａ、及び仏具棚３４の後板５４に形成された凹部５４ａ並びに下部受け穴５４ｃの具体的な数を示したが、もちろん、これらの数は特に限定されるものではなく、適宜設定されることができる。
【００６０】
また、扉框２６、照明桟２８、天板３０、背板取付桟３２、中板４４及び後板５４は、それぞれ形成された凹部と一対の側板１８、１８に形成された図示しない凹部に棒状片を嵌合することにより、一対の側板１８、１８に固定されると説明したが、扉框２６、照明桟２８、天板３０、背板取付桟３２、中板４４及び後板５４を一対の側板１８、１８に固定できれば、その手段は特に限定されない。例えば、扉框２６、照明桟２８、天板３０、背板取付桟３２、中板４４及び後板５４は、釘、木ねじ及び接着剤等の周知の固定手段を用いてそれぞれ一対の側板１８、１８に固定されることができる。
【００６１】
また、照明桟２８の光源取付部材２８ｂとして、電球等の図示しない光源を螺合するためのソケット等が用いられることを例示したが、光源取付部材２８ｂは、光源を固定できるものであれば、特に制限されない。例えば、光源取付部材２８ｂとして、光源の外形に嵌合して固定するソケットを用いることもできる。また、例えば、光源が電池等の電源を内蔵していない場合には、光源取付部材２８ｂは、光源取付部材２８ｂは、光源と電気的に接続されて、外部に設置された電源に接続するための電源プラグを備えることもできる。
【００６２】
また、上記において説明した仏具棚３４は、ひな壇３８、硝子棚４０、受けコマ４２、中板４４、膳引き４６、膳引き摺桟４８、引出５０、引出摺桟５２及び後板５４から構成されるが、第２の背板２４を取り付けることができ、また、本尊、位牌及び香炉等の仏具を配置することができるものであれば、仏具棚３４の構成は特に限定されない。例えば、ひな壇３８、硝子棚４０、受けコマ４２、中板４４及び膳引き４６に加えて任意数の壇を仏具棚３４に設けることができ、ひな壇３８、硝子棚４０及び受けコマ４２を省く等、より少ない壇数とすることもできる。
また、硝子棚４０は、硝子以外の材料からなる板材に代替しても良い。
【００６３】
また、仏壇１０の形状は、直方体形状であるとして説明したが、第１の背板２２及び第２の背板２４を着脱自在に備え、仏壇１０の前面側に向かって仏壇１０の内側を開放できるものであれば、直方体形状に限定されない。例えば、図示しないが、仏壇１０は、円柱形状、半円柱形状、多角柱形状、円錐形状、半円錐形状、多面体形状及び半球形状等の任意の形状であっても良い。その場合には、開閉扉１２を構成する扉板１２ａ、１２ｂ、１２ｃ及び１２ｄ、並びに、支輪１４、地板１６、一対の側板１８、１８、一対の飾り柱２０、２０、第１の背板２２及び第２の背板２４は、それぞれ直方体形状を成す必要はなく、例えば、仏壇１０の形状に応じて多面体形状及び曲面形状等の形状を有することもできる。
【００６４】
以上、本発明に係る仏壇１０について詳細に説明したが、本発明は、以上の例には限定されず、本発明の要旨を逸脱しない範囲において、各種の改良及び変形を行っても良いのはもちろんである。また、以上において示した複数の例は、適宜組み合わせて用いることができる。
【符号の説明】
【００６５】
１０  仏壇、１２  開閉扉、１２ａ，１２ｂ，１２ｃ，１２ｄ  扉板、１２ｅ  蝶番、１２ｆ，５０ｃ  把手、１３ａ，１３ｂ  柱部、１４  支輪、１４ａ  支輪側位置決め溝、１６  地板、１６ａ  地板側位置決め溝、１６ｂ  地板側掴み口、１８  側板、１８ａ  側板側受け穴、１８ｂ  樹脂取付穴、１９，３３，５５  雌ねじ部材、２０  飾り柱、２２  第１の背板、２２ａ  第１の背板取付孔、２２ｂ  背板側掴み口、２４  第２の背板、２４ａ  第２の背板取付孔、２６  扉框、２６ａ，２８ａ，３０ａ，３２ａ，３８ａ，４４ａ，５４ａ  凹部、２８  照明桟、２８ｂ  光源取付部材、３０  天板、３２  背板取付桟、３２ｂ  上部受け穴、３４  仏具棚、３６  開閉扉収納部、３８  ひな壇、４０  硝子棚、４２  受けコマ、４４  中板、４４ｂ，５４ｂ  薄板部、４６  膳引き、４８  膳引き摺桟、５０  引出、５０ａ  収納箱、５０ｂ  引出前板、５２  引出摺桟、５３  引出収納部、５４  後板、５４ｃ  下部受け穴。
【図１】
2018094014.tif 000003
【図２】
2018094014.tif 000004
【図３】
2018094014.tif 000005
【図４】
2018094014.tif 000006
【図５】
2018094014.tif 000007
【図６】
2018094014.tif 000008